(57)【要約】【課題】      光回折構造を利用して情報の偽造や改ざん等を防止するためのより高度なセキュリティを実現する記録物製造方法等を提供する。【解決手段】  印刷情報２が記録された被転写体１０上に、光回折構造転写シート２０に設けられたホログラム及び回折格子を含む層２０ｄを転写することにより、記録された印刷情報２と光回折構造３、４、５とが含まれた記録物１を製造する方法であって、光回折構造を含む層２０ｄは、転写される回折格子５が印刷情報２との対応関係において所定の規則性を示す回折格子情報５を形成するように、転写される。【選択図】    図１
2005246893.tif 000002
【特許請求の範囲】
【請求項１】
情報が記録された被転写体上に、光回折構造転写シートに設けられた光回折構造を含む層を転写することにより、前記記録された情報と前記光回折構造とが含まれた記録物を製造する方法であって、
前記光回折構造を含む層は、転写される前記光回折構造が前記記録された情報との対応関係において所定の規則性を示す情報を形成するように、転写されることを特徴とする記録物製造方法。
【請求項２】
情報が記録された被転写体上に、光回折構造転写シートに設けられた光回折構造を含む層が転写されることにより得られる、前記記録された情報と前記光回折構造とが含まれた記録物であって、
前記記録された情報と転写された前記光回折構造とによって形成された情報とが、所定の規則性を生じるように対応付けられている記録物。
【請求項３】
前記記録された情報と転写された前記光回折構造によって形成された情報とがシンクロしていることを特徴とする請求項２に記載の記録物。
【請求項４】
前記記録された情報は可視光線によっては視認できないインクによって記録されていることを特徴とする請求項２又は３に記載の記録物。
【発明の詳細な説明】
【技術分野】
【０００１】
本発明は、所定の情報と光回折構造とが含まれた記録物の製造方法及び記録物に関する。
【背景技術】
【０００２】
所定の情報と光回折構造とが含まれた記録物の製造方法として、例えば被転写体に所定の情報を先に印刷しておき、その情報上へ被転写体へ光回折構造転写シートの光回折構造が設けられた層を転写する方法が知られている（例えば特許文献１）。
【０００３】
【特許文献１】特開平８−１１８８５７
【発明の開示】
【発明が解決しようとする課題】
【０００４】
しかし、上述した方法は、光回折構造の製造や復元の困難性に着目して情報の偽造防止を主な目的とするものだが、光回折構造に関する技術が発達した昨今では、偽造を防止すべき情報上に光回折構造を単に転写するだけではセキュリティ上完全であるとは言い難くなっている。
【０００５】
そこで、本発明は、光回折構造を利用して情報の偽造や改ざん等を防止するためのより高度なセキュリティを実現する記録物製造方法等を提供することを目的とする。
【課題を解決するための手段】
【０００６】
本発明の記録物製造方法は、情報（２）が記録された被転写体（１０）上に、光回折構造転写シート（２０）に設けられた光回折構造を含む層（２０ｄ）を転写することにより、前記記録された情報と前記光回折構造とが含まれた記録物（１）を製造する方法であって、前記光回折構造を含む層は、転写される前記光回折構造が前記記録された情報との対応関係において所定の規則性を示す情報（５）を形成するように、転写されることにより、上記の課題を解決する。
【０００７】
本発明によれば、記録物における既に記録された情報と転写された光回折構造との間に所定の規則性を生じさせることができるため、記録された情報を改ざんしようとした場合、光回折構造による情報も当該規則性を満たすようにに改ざんしなければならない。従って、光回折構造を単に復元や製造するよりも更に改ざんや偽造を困難にすることができ、より高度なセキュリティを実現できる。また、被転写体に予め記録される情報の内容が変わっても、その情報に応じた内容の情報を転写すればよいので、情報の幅が広がり、様々な用途に利用することができる。
【０００８】
「所定の規則性」とは、同一の記録物上に含まれる、即ち対応付けられた記録された情報と光回折構造が形成する情報とが直接特定の関係を有している場合のみならず、複数の記録物間における各記録された情報と各光回折構造が形成する情報とから導き出すことができる規則性も含む。光回折構造の転写方法は、当該所定の規則性を有する情報を形成するように転写できる方法であれば、熱転写、レーザー光等種類を問わない。光回折構造とは所定の形状を形成する干渉縞であるホログラムと一様の凹凸パターンである回折格子とを含む。
【０００９】
本発明の記録物（１）は、情報（２）が記録された被転写体（１０）上に、光回折構造転写シート（２０）に設けられた光回折構造を含む層（２０ｄ）が転写されることにより得られる、前記記録された情報と前記光回折構造（３、４、５）とが含まれた記録物であって、前記記録された情報と転写された前記光回折構造とによって形成された情報（５）とが、所定の規則性を生じるように対応付けられていることにより上記の課題を解決する。
【００１０】
本発明によれば、記録物に転写された光回折構造が記録された情報と所定の規則性を有するように対応付けられているので、上述したようにより高度なセキュリティを提供することができる。また、前記記録された情報と転写された前記光回折構造によって形成された情報とがシンクロしていてもよい。これにより、光回折構造によって形成される情報を既に記録された情報にシンクロさせるだけでより高度なセキュリティを提供することができる。シンクロする情報とは、記録された情報と視覚的、聴覚的又は観念的に一致する情報をいう。観念的に一致するとは、例えば日本語とその英訳等、同じ物が連想可能な関係をいう。
【００１１】
また、前記記録された情報は可視光線では視認できないインクで印刷されていてもよい。これにより、可視光線下では記録された情報は視認されず、紫外線等の可視光線以外の光線によってのみ認知することができるため、より高度なセキュリティを実現することができる。
【発明の効果】
【００１２】
以上のように、本発明は、光回折構造転写シートに設けられた光回折構造を、既に被転写体上に記録された情報との対応関係において所定の規則性を示す情報を形成するように転写することにより、光回折構造を利用して情報の偽造や改ざん等を防止するためのより高度なセキュリティを実現する記録物の製造方法等を提供することができる。
【発明を実施するための最良の形態】
【００１３】
図１は本形態において製造する記録物１としてのシールを示す図である。記録物１には記録された情報として日付が印刷された印刷情報部２、形状「Ａ」に３次元ホログラムが施されたホログラム部３、横縞状の回折格子が施された回折格子部４、印刷情報部２と同じ日付が回折格子によって形成された回折格子情報部５とが含まれる。以下、記録物１を製造する方法について説明する。
【００１４】
本形態における被転写体１０は、図２に示すように既に印刷情報部２が設けられている。この被転写体１０へ光回折構造転写シートに設けられた光回折構造をサーマルヘッドによって熱転写することにより、記録物１を製造する。本形態における光回折構造転写シート２０の構造を図３及び図４に示す。図３に示すように、光回折構造転写シート２０は、サーマルヘッドが当てられる側から順に背面滑性層２０ａ、基材シート２０ｂ、剥離層２０ｃ、及び光回折構造形成層２０ｄが積層されて構成される。
【００１５】
本発明における光回折構造とは回折格子又はホログラムを意味し、光回折構造形成層２０ｄに形成されている。図４に示すように本形態の光回折構造形成層２０ｄは、回折格子箔２０ｄ−１で全体が構成され、３Ｄの計算機ホログラムが施された形状「Ａ」を示すホログラム部２０ｄ−２が一定間隔で設けられている。回折格子箔２０ｄ−１及びホログラム部２０ｄ−２が後述する方法によって被転写体１０へ転写されて記録物１のホログラム部３や回折格子情報部５をそれぞれ形成する。
【００１６】
光回折構造形成層２０ｄに設けられる回折格子及びホログラムの干渉縞は、表面に凹凸パターンを有するレリーフとして記録されているもの、厚み方向に立体的に記録されているもの、又は透過率の変化による光の振幅の変化で回折が起こるように記録されているもののいずれであってもよい。具体的には、フレネルホログラム、イメージホログラム等のレーザー再生ホログラム、リップマンホログラム、レインボーホログラム等の白色光再生ホログラム、これらの原理を利用したホログラフィックスステレオグラム、カラーホログラム等がある。
【００１７】
これらのホログラムは従来既知の方法によって製造し光回折構造形成層２０ｄとすればよい。また、光回折構造形成層２０ｄは、被転写体１０に接着する接着性を有していてもよい。接着性を生じさせるための素材は被転写体１０の表面を構成する素材に応じて適宜決めればよい。尚、光回折構造形成層２０ｄを構成する材料は被転写体１０へ転写された際に、印刷情報２が完全に隠蔽されないような大きさ（ドット）で印字することにより印刷情報２を完全に隠蔽することがない。
【００１８】
背面滑性層２０ａは、加熱によるいわゆるスティッキング現象の発生を防止するために設けられている。従って耐熱性、熱スベリ性の高いものであることが要求される。剥離層２０ｃは、光回折構造形成層２０ｄと基材シート２０ｂとの剥離性を高めるために設けられている。構成する材料は基材シート２０ｂに応じて適宜決めればよい。基材シート２０ｂはある程度の剛性と耐熱性を有するものであればよい。光回折構造転写シート２０の全体の厚みは、サーマルヘッドからの熱伝導が阻害されない程度の厚みであることが好ましい。
【００１９】
上述した構成を有する光回折構造転写シート２０の光回折構造形成層２０ｄ側と被転写体１０の表面とを重ね合わせ、サーマルヘッドによって背面滑性層２０ａ側から加熱する。加熱された部分に対応する剥離層２０ｃが基材シート２０ｂから剥離して光回折構造形成層２０ｄが被転写体１０へ転写する。即ち、サーマルヘッドによる加熱位置に対応する光回折構造形成層２０ｄが被転写体１０へ転写される。従って、背面滑性層２０ａに対して所定の面積をまんべんなく加熱すれば、その加熱位置に対応する所定の面積を有する光回折構造形成層２０ｄが転写し、所定の形状を描くように加熱すれば、その加熱位置に対応する所定の形状を描くように光回折構造形成層２０ｄが転写する。
【００２０】
本形態では、まず、ホログラム部２０ｄ−２に対応する範囲を背面滑性層２０ａ側からサーマルヘッドによって満遍なく加熱する。これにより、ホログラム部２０ｄ−２に対応する光回折構造形成層２０ｄが被転写体１０へを転写され、ホログラム部３を形成する。このようすを図５に示す。この場合、ホログラム部２０ｄ−２に対応する範囲内で１つのサーマルヘッドを満遍なく移動させて加熱してもよいし、複数の発熱子を有するサーマルヘッドによって当該範囲を一度に加熱してもよい。
【００２１】
次に、被転写体１０における回折格子部４及び回折格子情報部５に対応する部分に光回折構造形成層２０ｄの回折格子箔２０ｄ−１の部分が重なるように光回折構造転写シート２０を位置させる。サーマルヘッドの移動によって光回折構造転写シート２０の背面滑性層２０ａ側から横縞状に加熱することにより、光回折構造形成層２０ｄの回折格子箔２０ｄ−１が横縞状に転写され、回折格子部４を形成する。更に、印刷情報部２に示されている日付と同じ日付が転写されるようにサーマルヘッドを移動させる。上述したように加熱された部分に対応する光回折構造形成層２０ｄのみが転写されるので、印刷情報部２に示されている日付と同じ日付が回折格子によって表現された回折格子情報部５を形成する。以上の方法によって、記録物１を得ることができる。
【００２２】
本発明は、上述した形態に限らず種々の形態で実施してよい。例えば、印刷情報部２における情報の色は問わない。可視光で認識できないインクで印刷されていてもよい。また、印刷される情報は日付に限らず、文字、記号、図形、模様等種類を問わず用途に応じて適宜変更可能である。また、被転写体１０に記録された情報の記録方法は、印刷に限らず塗布、エッチング等種類は問わない。
【００２３】
上述した形態では、ホログラム部３、回折格子部４、回折格子情報部５の順で形成したが、各部を形成する順序は問わない。記録物１は光回折構造以外の方法によって記録された情報と光回折構造によって記録された情報とを含むものであれば、シール、カード、金券類等、その用途は問わない。また、印刷情報２が既に印刷された被転写体１０に対して回折格子情報部５を転写する形態を示したが、被転写体上に印刷情報２が回折格子情報部５より順序が先に印刷されればよく、例えば、印刷情報２が印刷されていない被転写体に対して同じ機械で印刷情報２を先に印刷し、続いて回折格子情報部５を設けてもよい。回折格子情報部５は、いわゆる回折格子だけでなくホログラムで形成されていてもよい。
【００２４】
光回折構造転写シート２０には、光回折構造形成層２０ｄの剥離層２０ｃと反対側に、被転写体１０と接着性の高い接着層を設けてもよい。また、基材シート２０ｂに剥離性がある場合は剥離層は設けなくても良い。背面滑性層２０ａは、基材シート２０ｂの滑性が高く、加熱位置を十分移動できる時は設ける必要がない。また、光回折構造転写シート２０に可視光を遮蔽する可視光遮蔽層を設け、光回折構造形成層２０ｄと共に被転写体１０へ転写してもよい。これにより、光回折構造形成層２０ｄが転写された位置の下に記録されている情報は可視光下で視認できなくなり、例えば紫外線のみによって視認できる。従って、セキュリティ度をより高めることができる。光回折構造転写シート２０には、他に回折効率を高める層等、本発明を実現できる限り適宜積層可能である。
【００２５】
また、加熱方法としてはサーマルヘッドによる加熱である必要はなく、光回折構造形成層２０ｄを線状の形状にも面状の形状にも転写できる加熱方法であればよい。例えば、レーザー光による熱を利用してもよい。この場合は、光回折構造転写シート２０に背面滑性層２０ａは不要となり、代わりに光熱変換剤をいずれかの層に含ませるか又は光熱変換層を設けることが望ましい。
【図面の簡単な説明】
【００２６】
【図１】本形態において製造する記録物を示す図。
【図２】図１に示す記録物を製造するために用いる被転写体の表面を示す図。
【図３】図１の記録物を製造するために使用する光回折構造転写シートの断面図。
【図４】図３に示す光回折構造転写シートの光回折構造形成層を示す図。
【図５】図２に示す被転写体にホログラム部が転写された状態を示す図。
【符号の説明】
【００２７】
１      記録物
２      印刷情報
３      ホログラム部
５      回折格子情報部
１０    被転写体
２０    光回折構造転写シート
２０ｄ  光回折構造形成層
【図１】
2005246893.tif 000003
【図２】
2005246893.tif 000004
【図３】
2005246893.tif 000005
【図４】
2005246893.tif 000006
【図５】
2005246893.tif 000007